(57)【要約】【課題】ランフラット耐久性を向上することが可能なタイヤ／ホイール組立体及びランフラット用支持体を提供する。【解決手段】リム１Ａをリム幅方向中心Ｏが一方側にオフセットするようにしてディスク１Ｂの外周端に設けたホイール１と、リム１Ａに装着した空気入りタイヤ２と、空気入りタイヤ２の空洞部２Ｘに配置され、外周側を幅方向において複数の凸曲面６ａ，６ｂを有する支持面６にすると共に内周側を二股状に開脚した環状シェル４と二股状に開脚した脚部７ａ，７ｂをリム１Ａ上に支持する左右の弾性リング５Ａ，５Ｂとからなるランフラット用支持体３とを備えたタイヤ／ホイール組立体である。反オフセット側に位置する弾性リング５Ａの剛性がオフセット側に位置する弾性リング５Ｂの剛性より小さくなっている。【選択図】図１
2005081857.tif 000002
【特許請求の範囲】
【請求項１】
リムをリム幅方向中心が一方側にオフセットするようにしてディスクの外周端に設けたホイールと、該リムに装着した空気入りタイヤと、該空気入りタイヤの空洞部に配置され、外周側を幅方向において複数の凸曲面を有する支持面にすると共に内周側を二股状に開脚した環状シェルと前記二股状に開脚した脚部をリム上に支持する左右の弾性リングとからなるランフラット用支持体とを備えたタイヤ／ホイール組立体において、反オフセット側に位置する弾性リングの剛性をオフセット側に位置する弾性リングの剛性より小さくしたタイヤ／ホイール組立体。
【請求項２】
前記反オフセット側の弾性リングの剛性を前記オフセット側の弾性リングの剛性より前記リムのオフセット量に応じて小さくした請求項１に記載のタイヤ／ホイール組立体。
【請求項３】
前記環状シェルの支持面は、幅方向において同じ曲率半径を有する複数の凸曲面を有する請求項１または２に記載のタイヤ／ホイール組立体。
【請求項４】
前記反オフセット側の弾性リングの剛性をＧ１、前記オフセット側の弾性リングの剛性をＧ２、前記リムのオフセット量をＬとすると、下記式を満足する請求項３に記載のタイヤ／ホイール組立体。
０．００１２≦（Ｇ２−Ｇ１）／（Ｇ１・Ｌ）≦０．０２０
【請求項５】
前記反オフセット側の弾性リングを前記オフセット側の弾性リングより３〜１４mm高くした請求項４に記載のタイヤ／ホイール組立体。
【請求項６】
前記反オフセット側の弾性リングの剛性をＧ１、前記オフセット側の弾性リングの剛性をＧ２、前記リムの反オフセット側のリムフランジ最内径側外端の位置におけるホイール径方向の撓み量Ｍ１に対する該リムのオフセット側のリムフランジ最内径側外端の位置におけるホイール径方向の撓み量Ｍ２の比率Ｍ２／Ｍ１をＭとすると、下記式を満足する請求項３に記載のタイヤ／ホイール組立体。
０．００９≦（Ｇ２−Ｇ１）／（Ｇ１・Ｍ）≦０．１２５
【請求項７】
外周側を幅方向において複数の凸曲面を有する支持面にすると共に内周側を二股状に開脚した環状シェルと前記二股状に開脚した脚部をリム上に支持する左右の弾性リングとからなるランフラット用支持体において、反オフセット側に位置する弾性リングの剛性をオフセット側に位置する弾性リングの剛性より小さくしたランフラット用支持体。
【請求項８】
前記反オフセット側の弾性リングの剛性を前記オフセット側の弾性リングの剛性より前記リムのオフセット量に応じて小さくした請求項７に記載のランフラット用支持体。
【請求項９】
前記環状シェルの支持面は、幅方向において同じ曲率半径を有する複数の凸曲面を有する請求項７または８に記載のランフラット用支持体。
【請求項１０】
前記反オフセット側の弾性リングの剛性をＧ１、前記オフセット側の弾性リングの剛性をＧ２、前記リムのオフセット量をＬとすると、下記式を満足する請求項９に記載のランフラット用支持体。
０．００１２≦（Ｇ２−Ｇ１）／（Ｇ１・Ｌ）≦０．０２０
【請求項１１】
前記反オフセット側の弾性リングを前記オフセット側の弾性リングより３〜１４mm高くした請求項１０に記載のランフラット用支持体。
【請求項１２】
前記反オフセット側の弾性リングの剛性をＧ１、前記オフセット側の弾性リングの剛性をＧ２、前記リムの反オフセット側のリムフランジ最内径側外端の位置におけるホイール径方向の撓み量Ｍ１に対する該リムのオフセット側のリムフランジ最内径側外端の位置におけるホイール径方向の撓み量Ｍ２の比率Ｍ２／Ｍ１をＭとすると、下記式を満足する請求項９に記載のランフラット用支持体。
０．００９≦（Ｇ２−Ｇ１）／（Ｇ１・Ｍ）≦０．１２５
【発明の詳細な説明】
【技術分野】
【０００１】
本発明は、タイヤ／ホイール組立体及びランフラット用支持体に関し、さらに詳しくは、耐久性を改善するようにしたタイヤ／ホイール組立体及びそれに使用するランフラット用支持体に関する。
【背景技術】
【０００２】
車両の走行中に空気入りタイヤがパンクした場合でも、数百ｋｍ程度の緊急走行を可能にする技術が市場の要請から多数提案されている。これら多数の提案のうち、リム組みされた空気入りタイヤの空洞部内側のリム上に支持体を装着し、その支持体によってパンクしたタイヤを支持することによりランフラット走行を可能にした技術がある。
【０００３】
上記ランフラット用支持体は、外周側を幅方向において２つの凸曲面を有する支持面にすると共に内周側を開脚した開脚構造の環状シェルを有し、その両脚部に弾性リングを取り付けた構成からなり、その弾性リングを介してリム上に支持されるようになっている。このランフラット用支持体によれば、既存のホイール／リムに何ら特別の改造を加えることなく、そのまま使用できるため、市場に混乱をもたらすことなく受入れ可能にできる利点を有している（例えば、特許文献１，２参照）。
【０００４】
ところで、一般に使用されるホイールは、リムをリム幅方向中心が一方側（車両内側）にオフセットするようにしてディスクの外周端に固設した構成になっており、車両内側のディスクとリムで囲まれた空間を広くし、その空間に車両に装着された部品を収めることができるようにしている。
【０００５】
このようにリムがオフセットしたホイールに上記ランフラット用支持体を装着したタイヤ／ホイール組立体では、ランフラット走行時に反オフセット側（車両外側）に位置する凸曲面が支持するタイヤ部分の方がオフセット側（車両内側）に位置する凸曲面が支持するタイヤ部分より先に破壊が発生し易く、これがランフラット走行時の耐久性を低下させる一因になっていた。
【特許文献１】特開平１０−２９７２２６号公報
【特許文献２】特表２００１−５１９２７９号公報
【発明の開示】
【発明が解決しようとする課題】
【０００６】
本発明は、ランフラット耐久性を向上することが可能なタイヤ／ホイール組立体及びランフラット用支持体を提供することにある。
【課題を解決するための手段】
【０００７】
上記目的を達成する本発明のタイヤ／ホイール組立体は、リムをリム幅方向中心が一方側にオフセットするようにしてディスクの外周端に設けたホイールと、該リムに装着した空気入りタイヤと、該空気入りタイヤの空洞部に配置され、外周側を幅方向において複数の凸曲面を有する支持面にすると共に内周側を二股状に開脚した環状シェルと前記二股状に開脚した脚部をリム上に支持する左右の弾性リングとからなるランフラット用支持体とを備えたタイヤ／ホイール組立体において、反オフセット側に位置する弾性リングの剛性をオフセット側に位置する弾性リングの剛性より小さくしたことを特徴とする。
【０００８】
本発明のランフラット用支持体は、外周側を幅方向において複数の凸曲面を有する支持面にすると共に内周側を二股状に開脚した環状シェルと前記二股状に開脚した脚部をリム上に支持する左右の弾性リングとからなるランフラット用支持体において、反オフセット側に位置する弾性リングの剛性をオフセット側に位置する弾性リングの剛性より小さくしたことを特徴とする。
【発明の効果】
【０００９】
上述した本発明によれば、反オフセット側に位置する弾性リングがオフセット側に位置する弾性リングより撓み易くなるため、ランフラット走行時にリムのオフセット側での撓みと反オフセット側の弾性リングの撓みが相殺され、その結果、反オフセット側に位置する凸曲面と空気入りタイヤの内面との接触圧と、オフセット側に位置する凸曲面と空気入りタイヤの内面との接触圧との間での接触圧差を従来より小さくすることができる。そのため、空気入りタイヤの内面を凸曲面により従来よりバランスよく支持することができるため、反オフセット側に位置する凸曲面が支持するタイヤ部分の破壊を抑制し、ランフラット耐久性を向上することが可能になる。
【発明を実施するための最良の形態】
【００１０】
本発明において、ランフラット用支持体は空気入りタイヤの空洞部に挿入される環状体として形成される。このランフラット用支持体は、外径が空気入りタイヤの空洞部内面との間に一定距離を保つように空洞部内径よりも小さく形成され、かつ内径は空気入りタイヤのビード部内径と略同一寸法に形成されている。そして、このランフラット用支持体は、空気入りタイヤの内側に挿入された状態で空気入りタイヤと共にホイールにリム組みされ、タイヤ／ホイール組立体に構成される。このタイヤ／ホイール組立体が車両に装着されて走行中に空気入りタイヤがパンクすると、そのパンクして潰れたタイヤがランフラット用支持体の外周面に支持された状態になるので、ランフラット走行を可能にする。
【００１１】
上記ランフラット用支持体は、環状シェルと弾性リングとを主要部として構成されている。
【００１２】
環状シェルは、外周側（外径側）にパンクしたタイヤを支えるため連続した支持面を形成し、内周側（内径側）は左右の側壁を脚部として二股状に開脚した形状にしている。外周側の支持面は、その周方向に直交する横断面での形状が外径側に凸曲面になるように形成される。その凸曲面のタイヤ軸方向に並ぶ数は単一だけでもよいが、好ましくは２以上が並ぶようにするのがよい。このように支持面を２以上の凸曲面が並ぶように形成することにより、支持面のタイヤ内面（空洞部内面）に対する接触箇所を２以上に分散させ、タイヤ内面に与える局部摩耗を低減するため、ランフラット走行を可能にする持続距離を延長することができる。
【００１３】
弾性リングは、環状シェルの内径側に二股状になった両脚部の端部にそれぞれ取り付けられ、左右のリムシート上に当接することにより環状シェルを支持している。この弾性リングはゴム又は弾性樹脂から構成され、パンクしたタイヤから環状シェルが受ける衝撃や振動を緩和するほか、リムシートに対する滑り止めを行って環状シェルを安定支持するようにしている。
【００１４】
ランフラット用支持体は、パンクしたタイヤを介して車両重量を支えるようにしなければならないため、環状シェルは剛体材料から構成されている。その構成材料には、金属、樹脂などが使用される。このうち金属としては、スチール、アルミニウムなどを例示することができる。また、樹脂としては、熱可塑性樹脂および熱硬化性樹脂のいずれでもよい。熱可塑性樹脂としては、ナイロン、ポリエステルなどを挙げることができ、また熱硬化性樹脂としては、エポキシ樹脂、不飽和ポリエステル樹脂などを挙げることができる。樹脂は単独で使用してもよいが、補強繊維を配合して繊維強化樹脂として使用してもよい。
【００１５】
弾性リングは、環状シェルを安定支持できればいずれのゴムや弾性樹脂から構成してもよく、例えば、ゴムとしては、天然ゴム、イソプレンゴム、スチレン−ブタジエンゴム、ブタジエンゴム、ブチルゴムなど、弾性樹脂としては、発泡ポリウレタンなどの発泡樹脂を挙げることができる。
【００１６】
本発明のタイヤ／ホイール組立体に使用されるランフラット用支持体は、上述した構成を前提とする。
【００１７】
以下、本発明を図に示す実施形態により具体的に説明する。
【００１８】
図１は本発明の一実施形態からなるタイヤ／ホイール組立体（車輪）の要部を示す子午線断面図であり、１はホイール、２は空気入りタイヤ、３はランフラット用支持体である。
【００１９】
ホイール１は、リム１Ａをリム幅方向中心Ｏが一方側にオフセットするようにしてディスク１Ｂの外周端に固設した構成になっている。リム１Ａに空気入りタイヤ２が装着され、空気入りタイヤ２の空洞部２Ｘ内にランフラット用支持体３が配置されている。これらホイール１、空気入りタイヤ２、ランフラット用支持体３は、ホイール１の回転軸（不図示）を中心として共軸に環状に形成されている。
【００２０】
ランフラット用支持体３は、金属、樹脂などの剛性材から形成された環状シェル４とゴム、弾性樹脂などの弾性材から形成された左右の弾性リング５Ａ，５Ｂとから構成されている。
【００２１】
環状シェル４は外周側に略同一の曲率半径を有する２個の凸曲面６ａ，６ｂを環状シェル４の幅方向においてもつ支持面６を有し、その支持面６は空気入りタイヤ２が正常なときは空気入りタイヤ２のトレッド部２Ａの内面２ａから離間しているが、パンクしたとき潰れたタイヤのトレッド部２Ａの内面２ａを支持するようになっている。
【００２２】
また、環状シェル４の内周側は両側壁がそれぞれ脚部７ａ，７ｂとして二股状に開脚し、その脚部７ａ，７ｂの内周側には、弾性リング５Ａ，５Ｂがそれぞれ取り付けられている。
【００２３】
弾性リング５Ａ，５Ｂは剛性を左右で異ならせており、反オフセット側に位置する弾性リング５Ａの剛性がオフセット側に位置する弾性リング５Ｂよりリム１Ａのオフセット量に応じて小さくなっている。反オフセット側の弾性リング５Ａの剛性をオフセット側の弾性リング５Ｂより低くする手法としては、図示するように、オフセット側の弾性リング５Ｂより高く（幅が同じ）したり、あるいはリング厚みを弾性リング５Ｂより薄くしたり、更に弾性リング５Ｂより低い弾性率の弾性材料を使用したり、またそれらを組み合わせたりすることなどにより行うことができる。好ましくは、反オフセット側の弾性リング５Ａの高さをオフセット側の弾性リング５Ｂより高くすることで剛性を小さくするのが、リムに対する座着安定性や、反オフセット側とオフセット側の弾性リング５Ａ，５Ｂの識別を容易にする点からよい。
【００２４】
このように弾性リング５Ａ，５Ｂが形成されたランフラット用支持体３は、リム組み時に、空気入りタイヤ２の内側に挿入され、弾性リング５Ａ，５Ｂを空気入りタイヤ２のビード部２Ｂ，２Ｂと共にリム１Ａのリムシート１ｓ，１ｓに同時に装着するようになっている。
【００２５】
本発明者によれば、ランフラット走行時に反オフセット側（車両外側）に位置する凸曲面６ａが支持するタイヤ部分の方が先に破壊する原因について鋭意検討した結果、以下のことを知見した。
【００２６】
即ち、ランフラット走行時に、図１に示すように、空気入りタイヤ２のトレッド部２Ａの内面２ａを両凸曲面６ａ，６ｂが支持するが、その時タイヤ支持荷重がリム１Ａに作用し、リム１Ａがオフセット側で大きく撓むようになる。その結果、両凸曲面６ａ，６ｂの内面２ａに対する接触圧が反オフセット側に位置する凸曲面６ａの方がオフセット側に位置する凸曲面６ｂより高くなり、それにより反オフセット側の凸曲面６ａが支持するタイヤ部分の方がオフセット側の凸曲面６ｂが支持するタイヤ部分より先に破壊し易かったのである。
【００２７】
そこで本発明では、上述したように反オフセット側に位置する弾性リング５Ａの剛性をオフセット側に位置する弾性リング５Ｂの剛性より小さくしたのである。これにより反オフセット側に位置する弾性リング５Ａがオフセット側に位置する弾性リング５Ｂより撓み易くなるため、ランフラット走行時にリム１Ａのオフセット側での撓みと反オフセット側の弾性リング５Ａの撓みが相殺され、反オフセット側に位置する凸曲面６ａと内面２ａとの接触圧とオフセット側に位置する凸曲面６ｂと内面２ａとの接触圧の差を従来より小さくすることができる。そのため、空気入りタイヤ２の内面２ａを凸曲面６ａ，６ｂにより従来よりバランスよく支持することができるので、凸曲面６ａが支持するタイヤ部分での破壊が抑制され、ランフラット耐久性を向上することができる。
【００２８】
本発明において、反オフセット側の弾性リング５Ａの剛性をＧ１(/mm) 、オフセット側の弾性リング５Ｂの剛性をＧ２(/m)とすると、リム１Ａのオフセット量Ｌ(mm)との関係で下記の式を満足するようにするのが好ましい。
０．００１２≦（Ｇ２−Ｇ１）／（Ｇ１・Ｌ）≦０．０２０
【００２９】
なお、ここで言う剛性とは、環状シェルを除去（環状シェルの脚部内周端部が弾性リング内に埋設されている場合には、脚部をその切断面が弾性リングの外周面と面一となるように切断して除去）した弾性リングをリング周方向に沿って１０cmの長さで切り出し、室温時にてそのサンプルにリング径方向の荷重（５０kgf[454N])Ｗを付与（サンプルをリング内周面側を下側にして水平な平坦試験面上に載置し、サンプルの上面（リング外周面）全面に接触するようにした荷重Ｗの重りをサンプル上に加える）した時のリング径方向における撓み量δ(mm)を測定し、その逆数の値を弾性リングの剛性(/mm) とする。
【００３０】
また、オフセット量Ｌとは、一般のホイールにおいて規定されているホイールオフセットの長さであり、ディスク１Ｂの中心部の車両取り付け面１Ｂ１とリム１Ａのリム幅方向中心Ｏとの間の距離である。
【００３１】
上記の式を満足させることにより、空気入りタイヤ２の内面２ａに対する各凸曲面６ａ，６ｂの接触圧の差を一層小さくし、各凸曲面６ａ，６ｂの接触圧を均一的にすることができるため、空気入りタイヤ２の内面２ａを凸曲面６ａ，６ｂにより一層バランスよく支持することができ、従って、ランフラット耐久性を一層向上することができる。好ましくは、０．００２０〜０．０１５の範囲がよい。
【００３２】
弾性リング５Ａ，５Ｂの高さを変えて剛性を異ならせる場合（他の条件は同じ）には、反オフセット側の弾性リング５Ａをオフセット側の弾性リング５Ｂより３〜１４mm、好ましくは、５〜１０mm高くするのが、各凸曲面６ａ，６ｂの接触圧を均一的にする上でよい。
【００３３】
上述した式による規定は、ランフラット直進走行時において好ましいものであるが、横力が作用する旋回走行を含むランフラット走行の場合には、リム１Ａの反オフセット側のリムフランジ１ｅの最内径側外端１ｘの位置におけるホイール径方向の撓み量Ｍ１に対するリム１Ａのオフセット側のリムフランジ１ｆの最内径側外端１ｙの位置におけるホイール径方向の撓み量Ｍ２の比率Ｍ２／Ｍ１をＭとすると、上述した反オフセット側の弾性リング５Ａの剛性Ｇ１(/mm) とオフセット側の弾性リング５Ｂの剛性Ｇ２(/m)は、比率Ｍとの関係で下記の式を満足するようにするのが好ましい。
０．００９≦（Ｇ２−Ｇ１）／（Ｇ１・Ｍ）≦０．１２５
【００３４】
なお、ここで言う撓み量Ｍ１，Ｍ２とは、空気入りタイヤをＪＡＴＭＡ（ＪＡＴＭＡ  ＹＥＡＲ  ＢＯＯＫ  ２００２）に記載の標準リムにリム組みし、２００ｋＰａの空気圧を充填し、ＪＡＴＭＡに記載される空気圧２００ｋＰａに対応する負荷能力の８０％の荷重をタイヤ径方向及び横方向（オフセット側に向けて）に負荷した時に測定した撓み量である。
【００３５】
リム１Ａの反オフセット側の撓み量Ｍ１は、ホイール径方向外側に撓んだ場合を＋、ホイール径方向内側に撓んだ場合を−とする。リム１Ａのオフセット側の撓み量Ｍ２は、ホイール径方向内側に撓んだ場合を＋、ホイール径方向外側に撓んだ場合を−とする。これは、タイヤ／ホイール組立体に垂直方向荷重と横力が加わった旋回走行時に、タイヤ中心に対してモーメント力が図１の反時計回りに発生し、リム１Ａの反オフセット側がホイール径方向外側に、リム１Ａのオフセット側がホイール径方向内側に撓むため、上記のようにしたものである。
【００３６】
また、リムのデザイン上、円弧状の面取りなどが最内径側外端１ｘ，１ｙの領域に施され、位置を定め難い時は、断面形状で面取り面の中央の位置を外端１ｘ，１ｙの位置としてよく、上記式は相対比較であるためこのように設定しても問題はない。
【００３７】
旋回走行時には、旋回する車両の外側に位置するタイヤ、即ち、右旋回の場合には車両の左側に装着したタイヤ、左旋回の場合には車両の右側に装着したタイヤに車両外側に向けて大きな横力が作用する。従って、上記のようにオフセットしたホイール１では、オフセット側を車両側にして車両に取り付けるが、上記の式を満足させることにより、横力が作用したランフラット旋回走行の際に、空気入りタイヤ２の内面２ａに対する各凸曲面６ａ，６ｂの接触圧の差をより小さくし、各凸曲面６ａ，６ｂの接触圧を均一的にすることができるため、空気入りタイヤ２の内面２ａを凸曲面６ａ，６ｂにより一層バランスよく支持することができ、従って、ランフラット耐久性を一層向上することができる。好ましくは、０．０１４〜０．１００の範囲がよい。
【００３８】
上記実施形態では、環状シェル４の支持面６が２個の凸曲面６ａ，６ｂを有する場合を例示したが、この凸曲面の数は２個に限定されるものでなく、３個以上の複数であってもよい。
【００３９】
本発明は、特に乗用車に使用されるタイヤ／ホイール組立体及びそれに使用するランフラット用支持体に好適に用いることができる。
【実施例１】
【００４０】
タイヤサイズを２０５／５５Ｒ１６、リムサイズを１６×６ 1/2ＪＪで共通にし、反オフセット側の弾性リングの剛性をオフセット側の弾性リングより小さくした図１に示す構成の本発明のタイヤ／ホイール組立体（実施例Ａ，Ｂ，Ｃ）と、両弾性リングの剛性を同じにした従来のタイヤ／ホイール組立体（従来例）をそれぞれ作製した。
【００４１】
本発明のタイヤ／ホイール組立体において、（Ｇ２−Ｇ１）／（Ｇ１・Ｌ）は表１に示す通りである。
【００４２】
これら各試験タイヤ／ホイール組立体を以下に示す測定方法により、ランフラット耐久性の評価試験を行ったところ、表１に示す結果を得た。
【００４３】
ランフラット耐久性
各試験タイヤ／ホイール組立体を空気圧０kPa の状態で排気量２．５リットルの前輪駆動車の前右輪に装着し、時速９０kmで周回路を左回りに走行した際に、走行不能になった距離を測定し、その結果を従来のタイヤ／ホイール組立体を１００とする指数値で評価した。この値が大きい程走行距離が長く、ランフラット耐久性が優れている。
【００４４】
なお、前輪駆動車の前右輪以外には、上記同じサイズのタイヤとリムを使用し、その空気圧は２００kPa にした。
【００４５】
【表１】
2005081857.tif 000003
表１から、本発明のタイヤ／ホイール組立体は、ランフラット走行時における耐久性を改善できることがわかる。
【実施例２】
【００４６】
タイヤサイズ、リムサイズを実施例１と共通にし、反オフセット側の弾性リングの剛性をオフセット側の弾性リングより小さくし、（Ｇ２−Ｇ１）／（Ｇ１・Ｍ）を表２のようにした図１に示す構成の本発明のタイヤ／ホイール組立体（実施例Ｄ，Ｅ，Ｆ）をそれぞれ作製した。
【００４７】
これら各試験タイヤ／ホイール組立体を実施例１に示す測定方法により、ランフラット耐久性の評価試験を行ったところ、表２に示す結果を得た。
【００４８】
【表２】
2005081857.tif 000004
表２から、本発明のタイヤ／ホイール組立体は、ランフラット走行時における耐久性を改善できることがわかる。
【図面の簡単な説明】
【００４９】
【図１】本発明のタイヤ／ホイール組立体の一実施形態をランフラット走行状態で示す要部子午線断面図である。
【符号の説明】
【００５０】
１  ホイール                        １Ａ  リム
１Ｂ  ディスク                      １ｅ，１ｆ  リムフランジ
１ｘ，１ｙ  最内径側外端            ２  空気入りタイヤ
２Ｘ  空洞部                        ２ａ  内面
３  ランフラット用支持体            ４  環状シェル
５Ａ，５Ｂ  弾性リング              ６  支持面  
６ａ，６ｂ  凸曲面                  ７ａ，７ｂ  脚部  
Ｏ  リム幅方向中心
【図１】
2005081857.tif 000005